(57)【特許請求の範囲】
【請求項１】
ワークの特定部位の寸法不良を検出するための検査ユニットであって、
上記ワークに弾性的に当接する弾性当接部材と、
この弾性当接部材に設けられ、当該弾性当接部材が当接している当接位置から検査対象となる上記寸法不良を検出する検出部と
を有し、上記弾性当接部材は、
予め定位置に固定される外装スリーブと、
この外装スリーブの内周部に摺動自在に装着され、当該外装スリーブの内周面に形成された段部によってワークへの突出量が規制されるとともに、ワークを検査する検査状態にてワークに対し弾性的に進退可能に当接する内装スリーブと、
内装スリーブと上記外装スリーブとの間に介装されて、内装スリーブをワークへ付勢する付勢部材と
を含み、上記検出部は、内装スリーブに相対変位可能な状態で収容され、且つ内装スリーブが正規の位置でワークに当接しているときに正規の位置にあるワークとのみ当接する可動ピンを含むスイッチ部材である
ことを特徴とする検査ユニット。
【請求項２】
ハウジングに対し予め定められた挿入方向に沿って挿入されることにより、この挿入方向と直交する係止方向に係止する係止部が設けられた嵌合部材を有するコネクタを検査するためのコネクタ検査装置であって、
上記コネクタを保持するコネクタ受け部と、
このコネクタ受け部に対向するように設けられ、上記コネクタ受け部に保持されたコネクタの導通検査を行うための検査部と、
コネクタ受け部および検査部が相対的に離反する離反状態とコネクタ受け部および検査部が近接する検査状態との間で両者を相対的に近接／離反変位させるための手段と、
検査部に設けられ、上記検査状態において当該コネクタ受け部に保持されたコネクタに嵌合している嵌合部材の嵌合状態を検査するための検査ユニットと
を備え、
上記検査ユニットは、上記係止方向に沿ってコネクタ受け部に保持されたコネクタのハウジングと弾性的に当接する弾性当接部材と、
この弾性当接部材に設けられ、当該弾性当接部材がハウジングと当接している当接位置から嵌合部材の浮きを検出する検出部と
を有し、上記弾性当接部材は、
予め定位置に固定される外装スリーブと、
この外装スリーブの内周部に摺動自在に装着され、当該外装スリーブの内周面に形成された段部によってワークへの突出量が規制されるとともに、ワークを検査する検査状態にてワークに対し弾性的に進退可能に当接する内装スリーブと、
内装スリーブと上記外装スリーブとの間に介装されて、内装スリーブをワークへ付勢する付勢部材と
を含み、上記検出部は、内装スリーブに相対変位可能な状態で収容され、且つ内装スリーブが正規の位置でワークに当接しているときに正規の位置にあるワークとのみ当接する可動ピンを含むスイッチ部材である
ことを特徴とするコネクタ検査装置。
【発明の詳細な説明】
【０００１】
【発明の属する技術分野】
本発明は検査ユニットおよびそれを用いたコネクタ検査装置に関するものである。
【０００２】
【従来の技術】
一般に、工業製品においては、非常に公差の小さいワークが存在し、そのようなワークの寸法を精緻に測定することが要請される。
【０００３】
【発明が解決しようとする課題】
しかし、これまでの突出量検出手段では、近年要請されている精度で寸法不良を検出することができなかった。
【０００４】
例えば、ワークとしてのコネクタハウジングと嵌合部材（リテーナまたはカバー部材）との組み付け時における公差は、従来は０．６ｍｍ程度であったが、近年では、例えば０．３００ｍｍに設定することが必要になる。ところが、従来から開発されているコネクタ検査装置では、ワークとしてのコネクタハウジング自身の変形やがたつき等の影響により、そのような小さい寸法公差に対応した寸法不良を機械的に検出することは困難であった。
【０００５】
本発明は上記不具合に鑑みてなされたものであり、ワークの特定部位の寸法不良を確実に検出することのできる検査ユニットおよびそれを用いたコネクタ検査装置を提供することを課題としている。
【０００６】
【課題を解決するための手段】
上記課題を解決するために本発明は、ワークの特定部位の寸法不良を検出するための検査ユニットであって、
上記ワークに弾性的に当接する弾性当接部材と、
この弾性当接部材に設けられ、当該弾性当接部材が当接している当接位置から検査対象となる上記寸法不良を検出する検出部と
を有し、上記弾性当接部材は、
予め定位置に固定される外装スリーブと、
この外装スリーブの内周部に摺動自在に装着され、当該外装スリーブの内周面に形成された段部によってワークへの突出量が規制されるとともに、ワークを検査する検査状態にてワークに対し弾性的に進退可能に当接する内装スリーブと、
内装スリーブと上記外装スリーブとの間に介装されて、内装スリーブをワークへ付勢する付勢部材と
を含み、上記検出部は、内装スリーブに相対変位可能な状態で収容され、且つ内装スリーブが正規の位置でワークに当接しているときに正規の位置にあるワークとのみ当接する可動ピンを含むスイッチ部材である
ことを特徴とする検査ユニットである。
【０００７】
この発明では、仕上り寸法にばらつきの大きいワーク（例えば自動車用グロメットや外装チューブ等）の特定部位の寸法が精緻に仕様に適合しているか否かを判別するに当たり、当該ワークに当接する弾性当接部材を設け、この弾性当接部材をワークの所定位置に弾性的に当接させているので、ワーク自身の仕上り寸法にばらつきが生じていたり、がたや変形を来している場合でも、弾性当接部材に設けられた検出部を不良検出の基準となる正規の位置に追従させることができる。そして、この正規の位置（弾性当接部材のワークとの当接位置）から検出部が当該ワークの特定部位の寸法不良を検出するので、可及的に精緻な不良検出を行うことが可能になる。また、検出部は、内装スリーブに相対変位可能な状態で収容され、且つ内装スリーブが正規の位置でワークに当接しているときに正規の位置にあるワークとのみ当接する可動ピンを含むスイッチ部材であるので、内装スリーブと検出部との相対的な位置関係によって、精緻な寸法検出のできる弾性当接部材および検査部を比較的簡素な構成で構成することができる。
【０００９】
好ましい態様において、上記弾性当接部材および検出部は、コネクタのハウジングを検査するコネクタ検査装置の検査部に設けられているものである。この態様では、コネクタのハウジングを検査する際に、当該ハウジングの寸法上の不良検出を確実に行うことが可能になる。
【００１０】
本発明の具体的な態様は、ハウジングに対し予め定められた挿入方向に沿って挿入されることにより、この挿入方向と直交する係止方向に係止する係止部が設けられた嵌合部材を有するコネクタを検査するためのコネクタ検査装置であって、
上記コネクタを保持するコネクタ受け部と、
このコネクタ受け部に対向するように設けられ、上記コネクタ受け部に保持されたコネクタの導通検査を行うための検査部と、
コネクタ受け部および検査部が相対的に離反する離反状態とコネクタ受け部および検査部が近接する検査状態との間で両者を相対的に近接／離反変位させるための手段と、
検査部に設けられ、上記検査状態において当該コネクタ受け部に保持されたコネクタに嵌合している嵌合部材の嵌合状態を検査するための検査ユニットと
を備え、
上記検査ユニットは、上記係止方向に沿ってコネクタ受け部に保持されたコネクタのハウジングと弾性的に当接する弾性当接部材と、
この弾性当接部材に設けられ、当該弾性当接部材がハウジングと当接している当接位置から嵌合部材の浮きを検出する検出部と
を有し、上記弾性当接部材は、
予め定位置に固定される外装スリーブと、
この外装スリーブの内周部に摺動自在に装着され、当該外装スリーブの内周面に形成された段部によってワークへの突出量が規制されるとともに、ワークを検査する検査状態にてワークに対し弾性的に進退可能に当接する内装スリーブと、
内装スリーブと上記外装スリーブとの間に介装されて、内装スリーブをワークへ付勢する付勢部材と
を含み、上記検出部は、内装スリーブに相対変位可能な状態で収容され、且つ内装スリーブが正規の位置でワークに当接しているときに正規の位置にあるワークとのみ当接する可動ピンを含むスイッチ部材である
ことを特徴とするコネクタ検査装置である。
【００１１】
この発明では、所定の係止方向に係止する係止部が設けられた嵌合部材を有するコネクタを検査するに当たり、当該コネクタのハウジングと嵌合部材との嵌合不良を判別する検査ユニットが、上記係止方向に沿って弾性的にハウジングに当接する弾性当接部材を有しているので、この弾性当接部材が上記ハウジングに弾性的に当接することにより、上記係止方向におけるハウジング自身の変形や位置ずれに検出部を追従させることができる。そして、この弾性当接部材に設けられた検出部が、当該弾性当接部材のハウジングとの当接位置から嵌合部材の浮きを検出するので、上記浮きが微小なものであってもこれを確実に検出することが可能になる。
【００１２】
嵌合部材は、端子をハウジングに止定するためのロック部材を備えたカバー部材であってもよく、ランス形式で止定されている端子をハウジングに二重係止するためのリテーナであってもよい。
【００１３】
【発明の実施の形態】
以下、添付図面を参照しながら本発明の好ましい実施の形態について詳述する。
【００１４】
図５および図６は本発明の実施の一形態に係るコネクタ検査装置１０の斜視図であり、図５は離反状態、図６は検査状態をそれぞれ示している。また、図７は検査状態における図５のコネクタ検査装置１０の一部欠載側面図である。
【００１５】
これらの図を参照して、図示のコネクタ検査装置１０は、図１に示すコネクタ１の導通検査とカバー部材５の嵌合状態を検査するものである。
【００１６】
図１はワークとしてのコネクタの斜視図であり、図２は図１のコネクタの外観を示すものであって（Ａ）は背面図、（Ｂ）は一部欠載側面図である。
【００１７】
これらの図を参照して、この種のコネクタ１は、合成樹脂材料を用いて構成されるハウジング２と、このハウジング２に形成された端子収容室３に収容される端子４とを有している。端子４は、いわゆるハウジングランス方式により、ハウジング２に係止されている。このハウジングランス方式は、ハウジング２に一体的に形成した可撓性の係止アームを端子収容室３の内部空間に向けて突出させ、この係止アームを端子付電線Ｗの端子４の所定位置に係合させて、端子４の抜けを防止する技術である。端子４をハウジング２に挿入する過程では、係止アームは端子４に当接して弾性変形する。そして、端子４が完全に挿入されると、係止アームが元の形状に復元し、この係止アームが端子４に係合する。したがって、端子４をハウジング２に完全に挿入すれば、自動的に端子４の係止が達成される。
【００１８】
しかし、係止アームはあまり大きく形成することができない。そこで、従来から端子４の挿入後に、端子４に係合するカバー部材５をハウジング２の所定位置（図示の例では端子収容室３に連設した背面側開口部分）から嵌め込み、ハウジングランス方式に加えて端子を二重に係止する二重係止構造を構成したコネクタが開発されてきた。さらに近年では、上述のようなランス方式に代えて、ハウジングと別部材で構成されたカバー部材にランスを設け、このカバー部材のランスでコネクタをハウジングに止定するカバーランス式コネクタも用いられるようになってきている。
【００１９】
図２（Ａ）（Ｂ）を参照して、図示の例におけるカバー部材５は、その端面形状がハウジング２の断面に対応するＵ字状の部材であり、その底部には、ハウジング２の底部に形成された凹部６に係止する突起７を有している。そして、図示の例では、このカバー部材５をハウジングの背面から端子挿入方向に沿う挿入方向Ｘに挿入することにより、上記カバー部材５の突起７が、この挿入方向Ｘと直交する係止方向Ｙに変位してハウジング２の凹部６に係止し、カバー部材５自身の抜け止めが図られる。これにより、カバー部材５に設けられた図略のランスが端子４をロックする。この際、カバー部材５の端面は、正規の位置に嵌合した状態でハウジング２の端面と面一になる。
【００２０】
図５および図６を参照して、かかるコネクタ１を検査するためのコネクタ検査装置１０は、平面視略長方形に形成された樹脂製のベース１１上に一対のレール１２を長手方向に平行に一体形成し、レール１２の一端側に、コネクタ１のハウジング２を保持して位置決めするコネクタ受け部１３を固定しているとともに、他端側に、コネクタ受け部１３に対し、相対変位可能に検査部１４を配置している。
【００２１】
上記コネクタ受け部１３は、図１で示したコネクタ１のハウジング２を上下に挿抜可能な凹部１３ａを有しており、この凹部１３ａ内にて検査対象となるコネクタ１のハウジング２を検査可能に保持できるように構成されている。図示の例において、ハウジング２は、ベース１１の長手方向と直交する方向に配置され、検査部１４に対して底面を臨ませた姿勢で保持されるように、上記凹部１３ａが形成されている。
【００２２】
ところで、上記コネクタ１のハウジング２とカバー部材５とは、しばしば以下のような嵌合不良を来していることがある。
【００２３】
図３は図１のコネクタ１における嵌合部材としてのカバー部材の嵌合不良の一般的な態様を示す断面部分拡大略図であり、（Ａ）は正規の状態、（Ｂ）は嵌合不良を来した状態を例示したものである。
【００２４】
図１〜図３に示すコネクタ１の場合、図３（Ｂ）に示すように、カバー部材５が嵌合不良を来している場合には、カバー部材５が正規の位置から突出寸法Ａだけ後方に突出している。そこで、この突出量を何らかの方法で検出可能な突出量検出手段をコネクタ検査装置１０に設けることが必要になる。
【００２５】
図５の例において、凹部１３ａの開口部分は、ハウジング２の幅方向（図１に示す姿勢においてその上下方向）に挿抜するために必要十分な寸法と輪郭形状に設定されている。したがって、仮に図３（Ｂ）で示したような嵌合不良が生じている場合、突出寸法Ａ（図３（Ｂ）参照）が小さければ凹部１３ａにハウジング２を装着する過程でカバー部材５を強制的に押し込むことができるとともに、突出寸法Ａが大きければ、ハウジング２を凹部１３ａに装着できなくなることで、この嵌合不良の矯正または検出を行うことができるようになっている。
【００２６】
さらに図５を参照して、凹部１３ａには、その保持位置にあるコネクタ１に接続された端子付電線Ｗとの干渉を避けるための切欠部１３ｂが側部に形成されている。他方、ハウジング２には、導通検査用の上記挿通孔２ａと嵌合状態を検査するための切欠部２ｂとが形成されており、コネクタ受け部１３には、これら挿通孔２ａおよび切欠部２ｂを検査部１４に臨ませる切欠部１３ｃ、開口部１３ｄがそれぞれ形成されている。
【００２７】
検査部１４は、検査対象となるハウジング２の極数に対応して、検出子としてのプローブピン１５（図７に１本のみ図示）を備えている。そして、図６および図７に示す検査状態において、上記プローブピン１５がコネクタ受け部１３に保持されたハウジング２に近接し、コネクタ受け部１３の切欠部１３ｃおよびハウジング２の挿通孔２ａを通して内部の端子４と接触するように構成されている。プローブピン１５は、リード線１５ａを介してプラグ３５に接続されており、このプラグ３５を介して図示しない導通検査装置に接続されるようになっている。また、検査部１４は、上記一対のレール１２の間に配置されたガイドバー１２ａで上記ベース１１の長手方向に案内されているとともに、このガイドバー１２ａの外周に配置されたコイルばね１２ｂがコネクタ受け部１３との間に介装されることにより、常時、トグルレバー１６の方に付勢されている。
【００２８】
このトグルレバー１６は、レール１２の他端側終端部分に設けられており、このトグルレバー１６を、ベース１１に延設された取り付け板部１７を貫通するピン１８回りに回動させることにより、検査部１４を検査状態と離反状態とに変位させて、周知の装置と同様に導通検査を行なうことができるようになっている。
【００２９】
以上のような構成において、上記検査部１４には、コネクタ受け部１３に保持されたコネクタ１のカバー部材５を検査する検査ユニット２０が配置されている。この検査ユニット２０は、コネクタ１のハウジング２とカバー部材５との間に生じた微妙な浮きを検出するためのものである。
【００３０】
図４は図１のコネクタ１における嵌合部材としてのカバー部材の嵌合不良の別の態様を示す断面部分拡大略図であり、（Ａ）は正規の状態、（Ｂ）は嵌合不良を来した状態を例示したものである。
【００３１】
図４（Ａ）（Ｂ）に示すように、コネクタ１の嵌合不良は、カバー部材５が正規の位置まで挿入されているにも拘らず、その挿入方向Ｘと直交する係止方向Ｙにおいて浮きが生じている場合もある。
【００３２】
そこで、本実施形態では、ハウジング２の底部に形成された切欠部２ｂを通してピン状の検査部材をカバー部材５に対向させ、カバー部材５に浮きが生じている場合には、コネクタ受け部と検査部とが近接している検査状態においても、検査部材がカバー部材５と当接できなくなるようにして、機械的にカバー部材５の嵌合良否を判別するようにしている。尤も、周知のスイッチピンを用いて、上記浮きを検出しようとしても、ハウジング２自身の変形やがた、或いは、仕上り寸法のばらつき等により、検出可能な寸法精度はせいぜい０．６ｍｍ程度であった。この点、本実施形態においては、以下の構成を採用することにより、０．３００ｍｍ程度の寸法精度で不良検出を行うことが可能になっている。
【００３３】
図８は図５のコネクタ検査装置１０に係る検査ユニット２０の断面図である。
【００３４】
同図を参照して、検査ユニット２０は、導電性材料で構成されて検査部１４に固定される外装スリーブ２１と、この外装スリーブ２１内に摺動可能に配置された内装スリーブ２２と、内装スリーブ２２内に配置された検出部としてのスイッチピン２３とを同心に有している。なお以下の説明では、検査部１４がコネクタ受け部１３に臨む方向を仮に前方とする。
【００３５】
上記外装スリーブ２１は、検査部１４に固着される構造体であり、その外周後端部には、図示しない導通検査装置の嵌合検査回路Ｓに接続されるリード線２４がはんだ付けされた導電リング２５が圧入されている。外装スリーブ２１の前端面には、フランジ部２１ａが形成されている。また、外装スリーブ２１の内周面は、内装スリーブ２２の突出位置を規定する段部２１ｂが形成されている。この段部２１ｂは、後部側が大径になっており、この段部２１ｂの背面で内装スリーブ２２の後端を受けるように構成されている。
【００３６】
内装スリーブ２２は、絶縁スリーブ２６と、導電スリーブ２７とを同心に一体化させたユニット品である。絶縁スリーブ２６は、上記外装スリーブ２１の段部２１ｂに対して当接可能な状態で当該外装スリーブ２１の後端側部分に摺動自在に配置される大径部２６ａと、この大径部２６ａと同心に形成された小径部２６ｂとを一体に有している。また、上記導電スリーブ２７は、上記絶縁スリーブ２６の小径部２６ｂが後端内周部に圧入される筒部２７ａと、この筒部２７ａの前端部に形成されたフランジ部２７ｂとを一体に有している。このフランジ部２７ｂと上記外装スリーブ２１のフランジ部２１ａとの間には、当該導電スリーブ２７の外周に配置されたコイルばね２８が設けられており、このコイルばね２８によって、内装スリーブ２２は全体的に前方に付勢され、上記段部２１ｂで規定される位置まで突出している。これにより内装スリーブ２２は、後述する嵌合状態の検査において、コネクタ１のハウジング２と弾性的に当接し、次に説明するスイッチピン２３がカバー部材５と当接する位置を調整することができるようになっている（図９参照）。
【００３７】
上記スイッチピン２３は、内装スリーブ２２の絶縁スリーブ２６の内周に圧入された固定ピン３０と、上記導電スリーブ２７内にて軸方向に摺動可能に配置された可動ピン３１と、可動ピン３１を前方に付勢するコイルばね３２とによってスイッチ部材を構成している。
【００３８】
固定ピン３０は、前端部が上記絶縁スリーブ２６の小径部２６ｂの端面と面一になった状態で絶縁スリーブ２６と一体化されている導電性部材である。固定ピン３０の後端部は幾分絶縁スリーブ２６よりも後方に突出しており、この後端部には、上記嵌合検査回路Ｓに接続されるリード線３３がはんだ付けされている。
【００３９】
上記可動ピン３１は、導電スリーブ２７の内周面に摺接する大径部３１ａと、この大径部３１ａの後端側に同心に突設された接続部３１ｂと、大径部３１ａの前端側に同心に突設された小径の当接部３１ｃとを一体に有する導電性部材であり、固定ピン３０との間でいわゆるＡ接点を構成するものである。
【００４０】
上記大径部３１ａは、可動ピン３１全体を導電スリーブ２７内で支持するものであるとともに、可動ピン３１を電気的に導電スリーブ２７に接続するものである。この大径部３１ａは、上記コイルばね３２によって前方に付勢されることにより、導電スリーブ２７の内端壁に当接している。上記接続部３１ｂは、固定ピン３０との接点を構成する部位であり、図示の例では大径部３１ａが導電スリーブ２７の内端壁に当接している状態で、上記固定ピン３０に対し、ギャップＧを隔てて固定ピン３０に対向している。そして、このギャップＧが可動ピン３１の変位ストロークとなっている。
【００４１】
上記当接部３１ｃは、後述する嵌合状態の検査において、コネクタ１のカバー部材５と当接する部材である（図９参照）。この当接部３１ｃの導電スリーブ２７からの突出長さＬは、検査対象となるコネクタ１のハウジング２の底面からカバー部材５の底面までの長さＬ１（図４（Ａ）参照）に対応して、正規の位置にあるカバー部材５の底面と当接した場合にのみ幾分後方に変位し、上記接続部３１ｂが固定ピン３０と接続されるように精緻に設定されている。
【００４２】
上記スイッチピン２３の固定ピン３０は、リード線３３によって上記嵌合検査回路Ｓに接続されているとともに、可動ピン３１は、導電スリーブ２７、外装スリーブ２１、導電リング２５、リード線２４を経て上記嵌合検査回路Ｓと接続されている。そして、嵌合検査回路Ｓは、両ピン３０、３１が接触しているか否かによって、カバー部材５の浮き状態を検出することができるようになっている。上記リード線２４、３３は、図５に示すプラグ３５に接続され、このプラグ３５を介して上記嵌合検査回路Ｓと接続される。
【００４３】
次に上述した実施形態の作用について説明する。
【００４４】
以上の構成では、図５で示すように、トグルレバー１６を倒してコネクタ受け部１３と検査部１４とを相対的に離反させておく。この状態で検査対象となるコネクタ１をコネクタ受け部１３の凹部１３ａ内に正規の姿勢で装着する。この装着過程では、凹部１３ａの開口部分における寸法設定により、図３（Ｂ）で示したような嵌合不良の矯正または検出を行うことが可能になる。
【００４５】
次いで、トグルレバー１６を起こしてコネクタ受け部１３と検査部１４とが検査状態になるように検査部１４をコネクタ受け部１３に近接させる。この検査状態では、コネクタ受け部１３に保持されているコネクタ１の端子４に対応するプローブピン１５と当接し、周知の通り導通検査が行われる。これと同時に、図示の実施形態では、検査ユニット２０によって、コネクタ１のカバー部材５の浮きが検査される。
【００４６】
図９および図１０は図５の実施形態における嵌合検査状態を示す断面部分拡大略図である。
【００４７】
まず、図９を参照して、正規のコネクタ１が検査されている状態では、上記検査部１４が検査状態に変位することにより、検査ユニット２０の内装スリーブ２２を構成する導電スリーブ２７が当該コネクタ１のハウジング２と弾性的に当接する。他方、図示の当接位置から突出するスイッチピン２３の可動ピン３１は、図８で説明した寸法設定により、正規の位置に嵌合しているカバー部材５の底面に当接部３１ｃが当接することにより後方に退避し、固定ピン３０と電気的に接続される。これにより、両ピン３０、３１が構成している接点が閉じて電気的に導通し、これを嵌合検査回路Ｓが検出してコネクタ１を良品と判別することが可能になる。ここで、上記内装スリーブ２２がハウジング２と当接する当接位置を予め内装スリーブ２２が後方に退避する位置に設定して置くことにより、ハウジング２自身の変形やコネクタ受け部１３内でのがたつきが生じていても、これらの寸法変動要因を内装スリーブ２２によって吸収し、精緻にスイッチピン２３を位置決めすることが可能になる。
【００４８】
次に図１０を参照して、コネクタ１のカバー部材５が図４（Ｂ）で示した嵌合不良を来している場合、内装スリーブ２２は、正規の場合と同様にハウジング２の底面に当接するが、ハウジング２の底面からカバー部材５の底面までの距離は正規の寸法よりも大きくなっているので、仮にその寸法差（図１０に示す浮き寸法Ｎ）が０．３００ｍｍ程度の微小なものであっても、内装スリーブ２２から突出する当接部３１ｃは、カバー部材５の底面に届かなくなり、各ピン３０、３１で構成される接点は開いたままの状態になっている。これにより、嵌合検査回路Ｓ（図８参照）は、カバー部材５の嵌合不良を検出することができる。
【００４９】
以上説明したように本実施形態によれば、検査ユニット２０を設けることによって、カバー部材５の係止方向の浮きをも確実に検出することができるので、コネクタ検査装置１０の検査性能が高まり、信頼性が向上する。
【００５０】
上述した実施の形態は本発明の好ましい具体例を例示したものに過ぎず、本発明は上述した実施の形態に限定されない。特に、本発明の検査ユニットは、コネクタのみならず、他の種々のワークを検査することが可能である。
【００５１】
その他、本発明の特許請求の範囲内で種々の設計変更が可能であることはいうまでもない。
【００５２】
【発明の効果】
以上説明したように、本発明によれば、変形や位置ずれがワークに生じていたとしても、当該ワークの特定部位の寸法不良を確実に検出することができるという顕著な効果を奏する。したがって本発明によれば、検査性能が高まり、信頼性が向上する。
【図面の簡単な説明】
【図１】  本発明で検査可能なコネクタの斜視図である。
【図２】  図１のコネクタの外観を示すものであって（Ａ）は背面図、（Ｂ）は一部欠載側面図である。
【図３】  図１のコネクタにおける嵌合部材としてのカバー部材の嵌合不良の一般的な態様を示す断面部分拡大略図であり、（Ａ）は正規の状態、（Ｂ）は嵌合不良を来した状態を例示したものである。
【図４】  図１のコネクタ１における嵌合部材としてのカバー部材の嵌合不良の別の態様を示す断面部分拡大略図であり、（Ａ）は正規の状態、（Ｂ）は嵌合不良を来した状態を例示したものである。
【図５】  本発明の実施の一形態に係るコネクタ検査装置の離反状態を示す斜視図である。
【図６】本発明の実施の一形態に係るコネクタ検査装置の検査状態を示す斜視図である。
【図７】  図５のコネクタ検査装置の一部欠載側面図である。
【図８】  図５のコネクタ検査装置に係る検査ユニットの断面図である。
【図９】  図５の実施形態における嵌合検査状態を示す断面部分拡大略図である。
【図１０】  図５の実施形態における嵌合検査状態を示す断面部分拡大略図である。
【符号の説明】
１      コネクタ（ワークの一例）
２      ハウジング
５      カバー部材（嵌合部材の例）
７      突起（係止部材）
１０    コネクタ検査装置
１３    コネクタ受け部
１３ａ  凹部
１４    検査部
２０    検査ユニット
２１    外装スリーブ
２２    内装スリーブ（弾性当接部材の要素）
２３    スイッチピン（検出部／スイッチ部材の要素）
２８    コイルばね（弾性当接部材の要素）
３０    固定ピン（スイッチ部材の要素）
３１    可動ピン（スイッチ部材の要素）
３２    コイルばね（スイッチ部材の要素）
Ｌ１    特定部位の寸法
Ｓ      嵌合検査回路
Ｘ      挿入方向
Ｙ      係止方向
【図１】
0003804432.tif 000002
【図２】
0003804432.tif 000003
【図３】
0003804432.tif 000004
【図４】
0003804432.tif 000005
【図５】
0003804432.tif 000006
【図６】
0003804432.tif 000007
【図７】
0003804432.tif 000008
【図８】
0003804432.tif 000009
【図９】
0003804432.tif 000010
【図１０】
0003804432.tif 000011